(57)【要約】      （修正有）【課題】新規で面白い遊戯その他の目的をもって有効利用できる投擲具を提供する。【解決手段】把持部１と柄部２と投擲物受留部７とを有する投擲具であって、柄部２は、長さ調節可能になっている。【選択図】図２
2013188451.tif 000002
【特許請求の範囲】
【請求項１】
把持部と柄部と投擲物受留部とを有する投擲具であって、柄部は、長さ調節可能になっていることを特徴とする投擲具。
【発明の詳細な説明】
【技術分野】
【０００１】  本発明は、投擲具に関する。
【背景技術】
【０００２】  投擲具は旧来から各種のものがある。
【先行技術文献】
【特許文献】
【０００３】
【特許文献１】
【発明の概要】
【発明が解決しようとする課題】
【０００４】  人間は、今から６万年前、ふるさとのアフリカを離れて新しい大地へと足を踏み出していった。アフリカを離れた祖先たちは、小さな動物を遠くから狙って捕獲するための投擲具（ウーメラ）を考案し、それを戦いにも使ってゆくことで世界に広く勢力の拡大を図った。今から１万４千年前には、祖先はアメリカ大陸へもやってきた。そのころのものとして、長い飛距離を誇るアトラトルと呼ばれる投擲具が発見されている。
しかし、この投擲具は大会でも使われていたが、今一つ遊戯的要素に欠けるものであり、現代版としての投擲具の提供が望まれているのが実状である。【０００５】  本発明は、このような問題を解決しようとするもので、新規で面白い遊戯その他の目的をもって有効利用できる投擲具を提供することを目的とする。
【課題を解決するための手段】
【０００６】  本発明は上記目的を達成するため、請求項１に記載の発明は、把持部と柄部と投擲物受留部とを有する投擲具であって、柄部は、長さ調節可能になっていることを特徴とする。
請求項２に記載の発明は、把持部と柄部と投擲物受留部とを有する投擲具であって、投擲物受留部が各種投擲物に合わせたものに取替え可能になっていることを特徴とする。
【発明の効果】
【０００７】  上述したように本発明は、把持部と柄部と投擲物受留部とを有する投擲具であって、柄部は、長さ調節可能になっていることを特徴とするので、新規で面白い遊戯その他の目的をもって有効利用できる投擲具を提供することができる。
【図面の簡単な説明】
【０００８】
【図１】  本発明の一実施形態である投擲場の様子を示す平面概要図。
【図２】  伸縮式投擲具を示す側面図。
【図３】  図３の投擲具を伸展状態で示す側面図。
【図４】  投擲具の先端部分の被覆保護した様子を示す側面図。
【図５】  他の実施形態を示す側面図。
【図６】  図５のＶＩ−ＶＩ線拡大断面図。
【図７】  他の実施形態を示す側面図。
【図８】  他の実施形態を示す側面図。
【図９】  他の実施形態を示す側面図。
【図１０】  他の実施形態を示す側面図。
【図１１】  他の実施形態を示す斜視図。
【図１２】  他の実施形態を示す斜視図。
【図１３】  他の実施形態を示す正面図。
【発明を実施するための形態】
【０００９】  以下、本発明の一実施形態を説明する。
各実施形態で説明する各案は他の実施形態においても適用することができる。
図１は図２の投擲具Ａ使って遊戯あるいは競技することのできる投擲場の一例を上からみて示す概要図である。図２の投擲具Ａは、矢である投擲物Ｂを投擲するための道具であり、把持部１と柄部２と先端の投擲物受留部７を有し、柄部２は、丸パイプで２〜３ｃｍの直径とした本体側の第１パイプ４と、同パイプ４に差し込まれて出し入れ（伸縮）可能にした細い側の第２パイプ５とでなるとともに、両パイプ４，５とは止着具６により適宜長さのもとでロックできるようになっている。
【００１０】  ７は投擲物受留部で、第２パイプ５内に差し込まれる受留基材８から釣針状に伸びた部分で、この投擲物受留部７の先端は、柄部２の方向に向き、投擲物Ｂの尾端部に形成した凹孔が係脱自在に掛留されるようになっている。９は中途受部で、柄部２から突設された基部に半丸形をなして設けられたもので、投擲物Ｂを指で摘む必要なしに受け留めて安定下で投擲できるようにするものである。投擲物Ｂは、先鋭状になっているが危険を避けるため平頭状や丸頭状にしたり図５のようなクッション材を付したりゴム芯頭材を嵌め込んだりしてもよい。１０は尾羽根部で飛翔方向を安定化させるためのものである。
【００１１】  この投擲具Ａは、図２に示すように第２パイプ５を短くしてロックした一態様で使用される。その際、尾部凹孔を投擲物受留部７に掛入しつつその中途を中途受部９内に受け持たせるようにして投擲具Ａをセットし、この状態で把持部１を握り締めながら同投擲具Ａを後方へ持ち上げてのち前方へ振り出すようにすれば投擲物Ｂは遠くに飛翔してゆく。
【００１２】  投擲物Ｂは、図２の右欄に示すようにゴルフボールやテニスボールなどのボールとすることもあり、この場合、受留基材８を受皿状で孔を有する球受留基材１２に付け替えることができる。この球受留基材１２はその下欄に示すような三叉あるいは四叉状のものでもよい。投擲物Ｂは右上欄に示すように球形で錘のようなものとし、それに浮上質の救助用ロープ１３の先端を結び付けておいて川や海などで遭難する人を目掛けて投じることで救助を図るために利用してもよい。
また、右下欄に示すように、投擲物Ｂは焼き物や炭などの多孔質材（浄化促進材）１４として河川や湖沼、海などに投擲することで浄化を促進するようにしてもよい。さらに、投擲物Ｂは、皿１５や害悪動物退治用のトウガラシ入りなどの球形あるいは角立体形などであってもよい。投擲具Ａは、その基部と地盤との間につないだアンカー１６により安全性を確保するようにしてもよい。このアンカー１６はゴム製であってもよいし、地盤への係留に代えて下端に錘をもつものでもよい。
【００１３】  一方、同投擲具Ａは、図３に示すように、第２パイプ５を伸ばして止着具６でロックしておくことで適宜に長い柄部２となる結果、飛翔長さを長くすることができる。尚、図４に示すように、受留基材８や第２パイプ５を含む先端部分を安全のため被覆保護カバー１７で覆い止め付けておくことで携帯時にも安全で器具を護ることができるようになる。また、第２パイプ５は中実ロッドでもよく、この場合、受留基材８はそれに一体あるいは別体でもよい。
【００１４】  こうした投擲具Ａを使って図１に示す投擲場Ｃで遊戯あるいは競技する。投擲場Ｃは、図例では、小山や丘など人の通らない安全なところを背景地２０としてその手前に半円状の造成地をメインステージ２１をまたメインステージ２１のさらに前方手前にサブステージ２２を加えて全体が形成されている。メインステージ２１と背景２０との境界線に略添って数ｍ高さをなす前面ガード２３が杭打ちで施工されるとともに、メインステージ２１の左右ラインに添ってサイドガード２４が、またサブステージ２２の背面ラインに添ってリアガード２５が施されている。これらガード２３，２４，２５は全体で閉じた安全囲いを形成する。
【００１５】  ２６は出入りドア、２７は控えハウスで、前方のメインステージ２１の円弧上には、投擲物Ｂが届かない関係をなして円中心の方向に向く安全投擲ガード２８…が配備されている。このガード２８は、複数本のポストを含むフレーム２９を介して強固に立設されるもので、台風や竜巻などの強風で倒れないようにさらに引きロープ３０…により強く引っ張られている。また、同ガード２８内が投擲室３１とされるとともに図１の左欄に示すように投擲物Ｂが横斜め方向に飛ばないように飛ぶ角度を規制しかつ雨天時や日差しのきつい時などにもプレーできるようにする役目をもたせてある。このガード２８は、図１の右欄に示すように前方へやや幅広がり状に形成してもよい。また、ガード２８は、円弧ライン上に配置されているが、直線上に配置してもよい。
【００１６】  また、各カバー２８の少し前方両サイドには、図１の左側に斜視図を示すような安全ガード３２が立設されていて投擲物Ｂが危険な方向に飛ぼうとしても当てて落とすようになっている。３３は杭で、メインステージ２１の前面に添ってガイドレール３４が張られており、このレール３４に添って進退自在な擬似獲物３５を設けることで、この獲物３５を狙って投擲遊戯や競技ができるようになっている。この獲物３５は複数にしたり交換自在になっている。これらでなる投擲場Ｃは、打ちっ放し練習場を含むゴルフ場や広場、さらに海岸べりなどに造ることができる。例えば、円形のメインステージ２１の中間に高い仕切りを立設して前後２面で投擲をするものでもよい。メインステージ２１は、正方形を含む矩形状や楕円（半楕円を含む）、多角形状などでもよい。
【００１７】  図５およびそのＶＩ−ＶＩ線断面図である図６は、他の実施形態を示し、同実施形態は、柄部２を丸形でなく幅方向に押し潰した扁平卵形（長円形や楕円形、矩形などでもよい）として前方へ振り回したときの空気抵抗を低減させるとともに柄部２を真直ぐに振り回せるようにしたものである。尚、この柄部２内には、金属球である転動ボール３８…の複数個（１個でもよい）が入れられていて、振り回すことでこれら転動ボール３８…が柄部２の先端方向に移動することによって柄部２を後向きに作用させて柄部２を真直ぐに振ることができるようになるとともに振り回し当初は差程回転エネルギーにならないが振り回すに連れて回転エネルギーとして蓄えられることにより大きな安定した力で投擲物Ｂを振り出すことができるようにしたものである。３９は緩衝材、４０は安全クッション材である。
【００１８】  図７は他の実施形態を示し、同実施形態は、投擲具Ａの柄部２を下欄のような楕円形断面のゴム質のものにして振りかざして前方に振り始める際にエネルギーが蓄えられ、そのエネルギーが投擲力として有効に作用するようにすることでより遠くまで投擲できるようにしたものである。柄部２は一部に曲がり部２ａを備えてあるが、直線状でもよい。尚、先端の受留基材８は錘を兼ねるようにすればエネルギーをより多く蓄えることができる。４１は錘で、このように追加してもよい。
尚、他の実施形態でも同様に適用可能であるが、投擲物Ｂの尾端（あるいは投擲物受留部７側）には相手側に吸着するマグネット４２を付けておいて投擲に移るまで投擲物Ｂを安定化させるようにしてもよい。
また、同図下欄に示すように、太ロッド状の錘４１を付した装着具を投擲具Ａの先端背部に位置調節可能に取り付けるようにしてもよい。
さらに、同実施形態では、投擲具Ａの柄部２の全長をゴム製としたが、把持部１側一部を通常のパイプとし、先端側のみをゴム製とすることもある。
【００１９】  図８は他の実施形態を示す。同実施形態は、投擲具Ａを巻揚げリール４３付きの釣竿４４とし、この釣竿４４に中途受部９を設けるとともにその先端にリール４３からのライン４５を誘導するシーブ４６と受留基材８を取り付けて、ライン４５の先端を投擲物Ｂの尾端に結び付けるようにすることで、投擲を可能としたもので、特に投擲後の投擲物Ｂをリール４３により巻き戻し可能であることから１本の投擲物Ｂを用意するだけで遊戯あるいは競技を楽しめるものである。また、リール４３により投擲物Ｂからのライン４５を引っ張ることができるので、投げる前の投擲物Ｂを安定なものにすることができる。
【００２０】  図９は他の実施形態を示し、同実施形態は、投擲具Ａをリハビリ用、一般用などのステッキとしたもので、同ステッキは、長い本体パイプ４９と短い補助パイプ５０とをねじロック５１で長さ調節可能にしてあるが、本体パイプ４９内に投擲物Ｂを入れて携帯可能としてあるとともに、補助パイプ５０の部分を把持部としてある。ヘッド５２の一端に投擲物受留部５３を突設するとともに、本体パイプ４９回りには中途受部５４を突設してなる。そして、投擲物Ｂを投擲物受留部５３に受け留めさせて前方へ振り回すことにより投擲物８を投擲可能に構成してある。補助パイプ５０は長さ調節により長くすることができ、投擲長を長くすることもできる。
【００２１】  図１０は他の実施形態を示し、同実施形態は、投擲具Ａをゴルフのパター（オフセット型）とし、同パターのシャフトを柄部５８としに握りを把持部５９とするとともにヘッド６０の一端に投擲物受留部６１を突設して投擲物Ｂを受け留めるようにしてある。６２は受留基材である。
【００２２】  図１１は他の実施形態を示し、同実施形態は、把持部６６をもつ柄部６７を空気抵抗の少ない流線形断面のものに細身としたものである。６８は投擲物受留部、６９は中途受部である。
図１２の実施形態は、そうした細身の柄部６７をもつ投擲具Ａの左右一対を離間して一体化して１つの投擲具Ａとしたものである。勿論、投擲具Ａは３本以上でもよい。
【００２３】  図１３は他の実施形態を示す。同実施形態は、ボトム７２とそれに開閉可能なセットカバー７３とを有する１つの携帯ケース７４のセットカバー７３（あるいはボトム７２側でもよい）の中に、切欠つきセット孔ａ…を上下多段に有するセットプレート７５を取り付けておき、これらプレート７５を介して投擲具Ａおよび複数本の投擲物Ｂをセットして携帯可能にしたものである。
【符号の説明】
【００２４】  Ａ…投擲具  Ｂ…投擲物  １…把持部  ２…柄部  ７…投擲物受留部。
【図１】
2013188451.tif 000003
【図２】
2013188451.tif 000004
【図３】
2013188451.tif 000005
【図４】
2013188451.tif 000006
【図５】
2013188451.tif 000007
【図６】
2013188451.tif 000008
【図７】
2013188451.tif 000009
【図８】
2013188451.tif 000010
【図９】
2013188451.tif 000011
【図１０】
2013188451.tif 000012
【図１１】
2013188451.tif 000013
【図１２】
2013188451.tif 000014
【図１３】
2013188451.tif 000015